(57)【特許請求の範囲】
【請求項１】
可撓性を有し断面がＣ字形に形成された芯部材の表面に多数のフック状繊維である毛髪の巻き付け部が設けられ、ヘアカーラーの外周面上の一部に重ね合わせ可能の形状に形成され、且つヘアカーラーに巻き付けられた毛髪の上に重ねることができるように形成され、芯部材の外周面に多数のフック状繊維である毛髪の巻き付け部を設けた前記ヘアカーラーの外周面上に着脱自在に取り付けることができることを特徴とする補助カーラー。
【発明の詳細な説明】
【技術分野】
【０００１】
本発明は、主に一般の女性が使用するヘアカーラー用の補助カーラーに関する。
【背景技術】
【０００２】
ハンドルを着脱自在に取り付けることができるヘアカーラーは存在する（例えば、特許文献１参照。）。
【特許文献１】特表２０００−５１１０９６号公報
【発明の開示】
【発明が解決しようとする課題】
【０００３】
本発明は、毛髪をヘアカーラーに迅速且つ確実に巻き付けていくことができるヘアカーラー用の補助カーラーを提供することを課題とする。
【０００４】
特許文献１のようにハンドルを着脱自在に取り付けることができるヘアカーラーは、ハンドルを握りながら毛髪をヘアカーラーに巻き付けていくので、ハンドルを有しないヘアカーラーよりも迅速に毛髪の巻き付けをすることができる。そして、毛髪の巻き付けが終了したときにハンドルをヘアカーラーから取り外してヘアカーラーのみを頭に残すことができる。
【０００５】
特許文献１では、ハンドルをヘアカーラーから取り外す手段はハンドル基部の外周面に設けられたボタンであり、このボタンを軸に垂直な方向に押すことによってヘアカーラーとハンドルとの係合を解除する構造である。この解除構造は解除するための力が軸に垂直な方向に加わるから、この力がヘアカーラーとハンドルとを分離する作用をなさない。係合の解除後にヘアカーラーとハンドルを分離するためには軸線方向に力を加えて分離しなければならないから、そのための作業が必要となる。したがって、ヘアカーラーとハンドルを解除する作業は、先ずボタンを押して係合を解除し、次いでヘアカーラーを一方の手で持ちながら他方の手でハンドルを掴んでヘアカーラーから引き出すという２つの操作を行わねばならない。通常ヘアカーラーは頭にいくつも付けるのであるから、一つのヘアカーラーの取り付けに２つの操作を行わなければならない引用文献１のヘアカーラーは毛髪の巻き付けについて迅速性に欠けるのである。
【０００６】
さらに、引用文献１も含めて従来のヘアカーラーは特に毛髪の長い使用者が使用するときは、巻いた毛髪の上からさらに毛髪を巻き付けるために毛髪が外れ易く、毛髪を確実に巻き付けることが困難であった。このように、引用文献１のハンドル付きヘアカーラーは毛髪の巻き付けについて迅速性に欠け、さらに巻き付けの確実性も欠いている。そこで、本発明は毛髪の巻き付けを迅速に行うことができるとともに毛髪を確実に巻き付けることができるヘアカーラー用の補助カーラーを提供することを目的とするものである。
【課題を解決するための手段】
【０００７】
本発明は、ヘアカーラー用の補助カーラーであって、可撓性を有し断面がＣ字形に形成された芯部材の表面に多数のフック状繊維である毛髪の巻き付け部が設けられ、ヘアカーラーの外周面上の一部に重ね合わせ可能の形状に形成され、且つヘアカーラーに巻き付けられた毛髪の上に重ねることができるように形成され、芯部材の外周面に多数のフック状繊維である毛髪の巻き付け部を設けた前記ヘアカーラーの外周面上に着脱自在に取り付けることができる構成である。
【発明の効果】
【０００８】
本発明は、可撓性を有し断面がＣ字形に形成された芯部材の表面に多数のフック状繊維である毛髪の巻き付け部が設けられ、ヘアカーラーの外周面上の一部に重ね合わせ可能の形状に形成され、且つヘアカーラーに巻き付けられた毛髪の上に重ねることができるように形成され、芯部材の外周面に多数のフック状繊維である毛髪の巻き付け部を設けた前記ヘアカーラーの外周面上に着脱自在に取り付けることができる。したがって、毛髪の巻き付けがヘアカーラーの一周を超えてさらに巻き付けようとするときに、巻き付けた毛髪の上に補助カーラーを重ねるように装着すれば、補助カーラーの表面に巻き付け部が設けられているから毛髪を確実に巻き付けることができる。これにより、作業中に毛髪がほどけることがないので巻き直しがなく作業を迅速に行うことができる。
【発明を実施するための最良の形態】
【０００９】
次に本発明の実施形態を説明する。図４に示すようにヘアカーラー１は芯部材２の表面に金属部材３が巻き付けられ、さらにその上に毛髪巻き付け部材４が巻き付けられて装着されている。
【００１０】
芯部材２は、合成樹脂や薄板や耐水性紙材などの軽量の材料で円筒形に形成されている。芯部材２は中空であって、その周面部は長手方向に延びる複数の縦枠部５とその縦枠部５を横切って周方向に延びる複数の横枠部６とで仕切られた複数の通孔７が形成されている。通孔７によって通気性を良くすることができるが、通孔７がなくてもよい。芯部材２の長さは６５ｍｍ〜１３０ｍｍ程度で、直径は２５ｍｍ〜６０ｍｍ程度で、特に好ましいサイズは長さが約７０ｍｍで直径が約３５ｍｍであるがこれらの数値に限定されないことは勿論である。
【００１１】
金属部材３は、芯部材２の表面に巻き付けるものであるから板状に形成されていることが好ましく、アルミニウム板やステンレス板などが用いられる。金属部材３の表面には周方向に長円形の多数の通孔８が設けられている。通孔８によって通気性を良くすることができるが、通孔８がなくてもよい。金属部材３を巻き付けることにより熱を伝えてカールすることができる。また、金属部材３の表面にセラミックをコーティングすることにより熱がさめにくくしっかりカールすることができる。
【００１２】
毛髪巻き付け部材４は、生地９の表面に多数のフック状繊維１０を設けたものである。フック状繊維１０を設けると毛髪を容易に絡ませることができる。
【００１３】
図１に示すように、ハンドル１１は細長く形成されている。材料は合成樹脂が好ましいがこれに限定されるものでなく例えば金属や木材などでもよい。ハンドル１１は、基端１２と後端３９との間の部分が紡錘状に太くなるように形成され握りやすくしている。中央部分よりやや基端１２寄りの表面に長さ方向に延びる複数の突条１３が形成され、ハンドル１１を回転する際の滑り止めとして作用する。ハンドル１１の基端１２から挿入部１４が突出している。挿入部１４は基端１２から円錐台形状に突出する基軸１５と、この基軸１５から前方に延びる軸部１６とから成る。ハンドル１１がヘアカーラー１に対して回転することを防止する手段がハンドルに設けられているが、これが基軸１５の表面の長さ方向に延びるように形成された凹凸状部である。
【００１４】
また、ハンドル１１をヘアカーラー１に着脱自在に係合するための手段として、軸部１６の外周面の周方向に係合溝１７が形成されている。ハンドル１１の全体の長さは約１５０ｍｍであるがこれに限定されるものでなく、これより長くても或いは短くてもよい。好ましくは８０ｍｍ〜１８０ｍｍ程度である。挿入部１４の長さは約２３ｍｍであり、その中の基軸１５の長さは約９ｍｍであり、軸部１６の長さは約１４ｍｍであるがこの数値に限定されるものではない。また、ハンドル１１の基端１２の直径は約１８ｍｍであるがこれに限定されるものではない。基端１２の直径は芯部材２の直径よりも１０ｍｍ以上小さくすることが好ましい。このようにすれば、基端１２の周囲にヘアカーラーの端部が露出するので、ハンドル１１を握ったときにその手の指をその露出部分に宛がって押すことによりハンドル１１をヘアカーラー１から円滑且つ迅速に分離できる。
【００１５】
前述したように、ハンドル１１はその基端１２と後端３９との間の部分が紡錘状に太くなるように形成されている。その最も太い部分の直径は約１４ｍｍであるがこの数値に限定されるものではない。その紡錘状の最も太い部分から基端１２側に行くに従って徐々に細くなり、最も細くなった部分から基端１２まではそれまでの太さの変化率よりも大きな変化率で太くなるように形成されている。したがって、最も細くなった部分から基端１２までの表面は凹の湾曲面１８に形成されている。その最も細くなった部分の直径は約１０ｍｍであるがこれに限定されるものではない。そして、その最も細くなった部分から基端１２までの距離は約１４ｍｍであるがこの数値に限定されるものではない。この結果、最も細くなった部分から基端１２の周囲までのハンドル１１の表面経線の曲率半径は、ハンドル１１の他の表面の曲率半径よりも小さくなる。そうすると、ハンドル１１を握って親指の先端や人差し指の横腹の双方又は一方でヘアカーラー１の端部を押してハンドル１１を分離しようとするときに、湾曲面１８は指のスットパーの作用をなし、湾曲面１８に指を宛がうことによって力加減を調節しながらヘアカーラーを徐々に押すことができる。仮に、湾曲面１８がないときは指の動きを制御する部分がないので、指でヘアカーラーの端部を押したときに指が勢いよくヘアカーラー１側に突き出てしまい、ヘアカーラー１がハンドル１１から勢いよく飛び出してしまうのである。
【００１６】
前述したようにヘアカーラー１は中空であるから、このままではハンドル１１と結合することができない。そこで、結合するための部材が図５及び図６に示す蓋１９である。蓋１９は合成樹脂で形成されているが他の材料であってもよい。蓋１９はヘアカーラー１の端部に取り付けて使用する。蓋１９には孔部２０が設けられている。孔部２０は蓋１９の表面側の前孔２１と奥孔２２とが連通している。前孔２１はハンドル１１の基軸１５と合致するように形成され、内面に長さ方向に延びるように凹凸状部が形成されている。この凹凸状部とハンドル１１の基軸１５の表面に形成された凹凸状部とが合致して、ハンドル１１がヘアカーラー１に対して回転することを防止する。凹凸状部の各山と溝底のそれぞれのピッチは４５°にすることが好ましい。この角度であると前孔２１にハンドル１１の基軸１５を合致させるためにはハンドル１１の回転角度が４５°よりも小さい角度で済むから迅速に合致させることができる。また、蓋１９の表面部２７に前記孔部２０とは別に１又は複数の孔をあけることにより使用時における通風を良くすることができる。
【００１７】
奥孔２２には一対の切り込み２３，２３が設けられ、その切り込み２３，２３の中に可撓性を有する係合片２４，２４が形成されている。蓋１９を合成樹脂で一体に形成すれば係合片２４，２４は可撓性を有する。係合片２４，２４の端部に内向きの係合突部２５，２５（一方は図示せず。）が形成されている。ハンドル１１の挿入部１４を孔部２０に挿入したときに、軸部１６に設けた係合溝１７と係合突部２５，２５が係合してハンドル１１の抜け出しを防止する。この係合突部２５，２５の断面形状は例えば半円形や三角形などのように頂点の両側から底辺まで斜辺で裾広がりであることが好ましい。直線の斜辺でもよく曲線の斜辺でもよい。その斜辺の一方が垂直であったり他方の斜辺の方に食い込む裾広がりでない形状であるときは、係合溝１７の断面形状を滑らかな弧状に形成することが好ましい。例えば、半円形やそれよりも小さな円弧状などであるがこれに限定されるものではない。このようにすることによって、ハンドル１１の挿入部１４を孔部２０に挿入したときに、その軸線方向の力のみで簡単に係合することができる。それと同様に、軸線方向の力のみでヘアカーラー１とハンドル１１を簡単に分離することができる。
【００１８】
図９に示すように、ヘアカーラー１の他方の端部側からもハンドル１１の軸部１６を奥孔２２に挿入することができる。このとき、切り込み２３，２３によって分割された奥孔２２の両側面２６，２６は係合片２４，２４よりも長いので、軸部１６は両側面２６，２６の係合片２４，２４よりも突出している部分で安定的に支持される。したがって、使用後にハンドル１１をこのように支持することによりコンパクトに保管しておくことができる。また、ハンドル１１を短くした状態で使用することもできる。この場合、ハンドル１１はヘアカーラー１に対して回転する。したがって、使用後に頭部に残っているヘアカーラー１を外すときに、図９のようにハンドル１１をヘアカーラー１に取り付ければ、ハンドル１１を持って巻き付いている毛髪をほどく方向に移動させることによりヘアカーラー１は自動的に回転して毛髪をほどくことができる。
【００１９】
蓋１９の表面部２７の裏側に、表面部２７の外周よりもやや内側寄りに周面部２８が形成されている。周面部２８に一対の切り込み２９，２９が設けられ、その中に可撓性を有する係合片３０，３０（一方は図示せず。）が形成されている。係合片３０，３０の端部にそれぞれ外向きの係合突起３１，３１（一方は図示せず。）が形成されている。表面部２７と対向する係合突起３１，３１の面は垂直に立ち上がった面であることが好ましい。この蓋１９をヘアカーラー１の端部に取り付けるときは、蓋１９の裏側からヘアカーラー１の端部に押し込む。そうすると、係合突起３１，３１が、芯部材２の最も端部側にある横枠部６を乗り越えて通孔７に入り、前記横枠部６に係合して取り付けが完了する。また、係合突起３１，３１が縦枠部５に係合することにより、蓋１９がヘアカーラー１に対して回転することを防止できる。蓋１９はヘアカーラー１の製造時に装着しておくことが好ましい。そのときは、最初の使用時に使用者が装着する必要はないので手間を省くことができる。また、蓋１９をヘアカーラー１に着脱自在にするようにして使用者が蓋１９の装着を選択することができるようにしてもよい。蓋１９を装着しないことによって毛髪の巻き付けはヘアカーラー１のみの重さとなって軽くすることができる。
【００２０】
次に、ハンドル１１付きヘアカーラー１の使用方法について説明する。まず、蓋１９の孔部２０にハンドル１１の挿入部１４を挿入し、係合溝１７と係合突部２５を係合する。次いで、ハンドル１１を手で持って回転させるとヘアカーラー１も同時に回転するから、ヘアカーラー１を回転させながら毛髪を巻き付ける。巻き付けが完了したら、例えば親指の腹をハンドル１１の凹の湾曲面１８に宛がうと共に、親指の指先を蓋１９の表面部２７に宛がって押すとヘアカーラー１はハンドル１１から押し出されて両者を分離することができる。この作業を次々にすることによって複数のヘアカーラー１を頭に付けることができる。
【００２１】
補助カーラー３２は、図７に示すように断面がＣ字形に形成された芯部材３３の表面に毛髪巻き付け部材３４を装着したものである。これらの間に金属部材を装着してもしなくてもよい。芯部材３３はヘアカーラー１の芯部材２と同じ材料で形成することが好ましいが、他の材料で形成してもよい。構造についても、ヘアカーラー１と同じように複数の縦枠部３５と横枠部３６で仕切られた複数の通孔３７を設けてもよいが設けなくてもよい。すなわち、補助カーラー３２は、形状が異なるが構造や材料はヘアカーラー１の芯部材２と同じでよい。また、同じでなくてもよい。芯部材３３は可撓性を有している。断面がＣ字形に形成された芯部材３３の内径はヘアカーラー１全体の外径とほぼ同じ大きさが好ましい。
【００２２】
補助カーラー３２は毛髪を巻き付けたヘアカーラー１の上に重ねるものであるから、補助カーラー３２の周面には頭皮から延びている毛髪を通す開放部が必要である。補助カーラー３２の断面をＣ字形に形成したときは、周面の一部が全長に亘って切り取られているからその部分が開放部３８となる。そして、芯部材３３が可撓性を有するときは開放部３８を押し広げることによりヘアカーラー１に重ねることができる。
【００２３】
次に補助カーラー３２の使用方法について説明する。まず、図８に示すようにハンドル１１付きヘアカーラー１に毛髪をある程度巻き付け、その毛髪の上に補助カーラー３２を重ねる。次いで、その補助カーラー３２の外周面に毛髪をさらに巻き付ける。次いで前述した方法でハンドル１１をヘアカーラー１から分離する。補助カーラー３２はヘアカーラー１に巻き付けた毛髪がほどけることを確実に防止し、補助カーラー３２の表面にも毛髪を巻き付けることにより巻き付け中に毛髪がほどけることがなく迅速に巻き付け作業をすることができる。また、複数の補助カーラー３２を重ねて用いることもできることは勿論である。
【図面の簡単な説明】
【００２４】
【図１】ヘアカーラーとハンドルを分離した状態の正面図
【図２】ヘアカーラーとハンドルを結合した状態の正面図
【図３】図２における右側面図
【図４】巻き付け部を広げたヘアカーラーの斜視図
【図５】蓋をその表面部側から見た斜視図
【図６】蓋をその裏側から見た斜視図
【図７】補助カーラーの斜視図
【図８】毛髪を巻き付けたヘアカーラーに補助カーラーを重ねた側面図
【図９】ハンドルをヘアカーラーに逆方向から係合させた正面図
【符号の説明】
【００２５】
１  ヘアカーラー、    ２  芯部材、    ３  金属部材、    ４  毛髪巻き付け部材、    ５  縦枠部、    ６  横枠部、    ７  通孔、    ８  通孔、    ９  生地、    １０  フック状繊維、    １１  ハンドル、    １２  基端、    １３  突条、    １４  挿入部、    １５  基軸、    １６  軸部、    １７  係合溝、    １８  湾曲面、    １９  蓋、    ２０  孔部、    ２１  前孔、    ２２  奥孔、    ２３  切り込み、    ２４  係合片、    ２５  係合突部、    ２６  奥孔の側面、    ２７  蓋の表面部、    ２８  周面部、    ２９  切り込み、    ３０  係合片、    ３１  係合突起、    ３２  補助カーラー、    ３３  芯部材、    ３４  毛髪巻き付け部材、    ３５  縦枠部、    ３６  横枠部、    ３７  通孔、    ３８  開放部、    ３９  ハンドルの後端
【図１】
0005383003.tif 000002
【図２】
0005383003.tif 000003
【図３】
0005383003.tif 000004
【図４】
0005383003.tif 000005
【図５】
0005383003.tif 000006
【図６】
0005383003.tif 000007
【図７】
0005383003.tif 000008
【図８】
0005383003.tif 000009
【図９】
0005383003.tif 000010